【事件の表示】
　特許第３４０２３２５号「画像データ生成装置、画像処理装置及び画像処理システム、並びにプログラム」の請求項１ないし３に係る特許に対する特許異議の申立てについて、次のとおり決定する。
【結　論】
　訂正を認める。
　特許第３４０２３２５号の請求項１ないし３に係る特許を維持する。
【理　由】
１．手続の経緯
　特許第３４０２３２５号に係る発明についての出願は、平成１３年３月２８日の特許出願であって、平成１５年２月２８日にその発明について特許の設定登録がなされ、その後、その特許請求の範囲における請求項１−３に係る発明について、異議申立人大木茂より特許異議の申立てがなされ、取消理由通知がなされ、その指定期間内である平成１６年５月１４日に訂正請求書及び特許異議意見書が提出されたものである。
　　
２．訂正の適否について
（１）訂正の内容
　平成１６年５月１４日付けの訂正請求書による訂正事項は、次の（ａ）〜（ｇ）に示されるとおりである。
（ａ）特許請求の範囲の請求項１
　「【請求項１】カラー画像を処理する画像処理装置であって、
　ホワイトバランスの調整が行われる前のカラー画像に関する画像データと、前記カラー画像に対するホワイトバランスの調整を行うためのゲイン情報とが互いに関連づけられたデータを入力するデータ入力手段と、
　前記ゲイン情報に基づいて前記画像データに対するホワイトバランス調整を行う画像処理手段と、
　前記画像処理手段によってホワイトバランスが調整されたカラー画像を表示する表示手段と、を備えることを特徴とする画像処理装置。」
　を、
　「【請求項１】カラー画像を処理する画像処理装置であって、
　カラー画像に対して施されたγ変換情報と、ホワイトバランスの調整が行われる前のカラー画像に関する画像データと、前記ホワイトバランスの調整が行われる前のカラー画像に対するホワイトバランスの調整を行うためのゲイン情報とが互いに関連づけられたデータを入力するデータ入力手段と、
　前記ゲイン情報に基づいて前記画像データに対するホワイトバランス調整を行うとともに、前記γ変換情報に基づいて前記画像データに対する画像処理を行う画像処理手段と、
　前記画像処理手段によってホワイトバランス調整及び画像処理が行われたカラー画像を表示する表示手段と、
を備えることを特徴とする画像処理装置。」
　と訂正する。
　
（ｂ）特許請求の範囲の請求項２
　「【請求項２】コンピュータを、
　ホワイトバランスの調整が行われる前のカラー画像に関する画像データと、前記カラー画像に対するホワイトバランスの調整を行うためのゲイン情報とが互いに関連づけられたデータを入力するデータ入力手段、
　前記ゲイン情報に基づいて前記画像データに対するホワイトバランス調整を行い、前記ホワイトバランスが調整されたカラー画像を表示させる画像処理手段、として機能させることを特徴とするプログラム。」
　を、
　「【請求項２】コンピュータを、
　カラー画像に対して施されたγ変換情報と、ホワイトバランスの調整が行われる前のカラー画像に関する画像データと、前記ホワイトバランスの調整が行われる前のカラー画像に対するホワイトバランスの調整を行うためのゲイン情報とが互いに関連づけられたデータを入力するデータ入力手段、
　前記ゲイン情報に基づいて前記画像データに対するホワイトバランス調整を行うとともに、前記γ変換情報に基づいて前記画像データに対する画像処理を行い、前記ホワイトバランス調整及び画像処理が行われたカラー画像を表示させる画像処理手段、
として機能させることを特徴とするプログラム。」
　と訂正する。
　
（ｃ）特許請求の範囲の請求項３
　「【請求項３】画像データ生成装置と画像処理装置とを備える画像処理システムであって、
　前記画像データ生成装置は、
　物体からの光を光電変換することによってカラー画像を生成する撮像手段と、
　前記カラー画像を分析し、前記カラー画像に対するホワイトバランスの調整を適切に行うためのゲイン情報を生成するゲイン情報生成手段と、
　前記ホワイトバランスの調整が行われる前の前記カラー画像に関する画像データと、前記ゲイン情報とを互いに関連付けた画像ファイルを前記画像処理装置に出力する出力手段と、を備え、
　前記画像処理装置は、
　前記画像ファイルを入力するデータ入力手段と、
　前記ゲイン情報に基づいて前記画像データに対するホワイトバランス調整を行う画像処理手段と、
　前記画像処理手段によってホワイトバランスが調整されたカラー画像を表示する表示手段と、を備えることを特徴とする画像処理システム。」
　を、
　「【請求項３】画像データ生成装置と画像処理装置とを備える画像処理システムであって、
　前記画像データ生成装置は、
　物体からの光を光電変換することによってカラー画像を生成する撮像手段と、
　前記カラー画像を分析し、前記カラー画像に対するホワイトバランスの調整を適切に行うためのゲイン情報と、前記カラー画像に対するγ変換の処理内容を特定するγ変換情報とを生成する変換情報生成手段と、
　前記γ変換情報に基づいて前記カラー画像に対してγ変換を施すγ変換手段と、
　前記γ変換情報と、前記ホワイトバランスの調整が行われる前の前記カラー画像に関する画像データと、前記ゲイン情報とを互いに関連付けた画像ファイルを前記画像処理装置に出力する出力手段と、
を備え、
　前記画像処理装置は、
　前記画像ファイルを入力するデータ入力手段と、
　前記ゲイン情報に基づいて前記画像データに対するホワイトバランス調整を行うとともに、前記γ変換情報に基づいて前記画像データに対する画像処理を行う画像処理手段と、
　前記画像処理手段によってホワイトバランス調整及び画像処理が行われたカラー画像を表示する表示手段と、
を備えることを特徴とする画像処理システム。」
　と訂正する。
　
（ｄ）発明の詳細な説明における段落【０００８】の記載
　「【０００８】
【課題を解決するための手段】上記目的を達成するために、請求項１に記載の発明は、カラー画像を処理する画像処理装置であって、ホワイトバランスの調整が行われる前のカラー画像に関する画像データと、前記カラー画像に対するホワイトバランスの調整を行うためのゲイン情報とが互いに関連づけられたデータを入力するデータ入力手段と、前記ゲイン情報に基づいて前記画像データに対するホワイトバランス調整を行う画像処理手段と、前記画像処理手段によってホワイトバランスが調整されたカラー画像を表示する表示手段と、を備えている。」
　を、
　「【０００８】
【課題を解決するための手段】上記目的を達成するために、請求項１に記載の発明は、カラー画像を処理する画像処理装置であって、カラー画像に対して施されたγ変換情報と、ホワイトバランスの調整が行われる前のカラー画像に関する画像データと、前記ホワイトバランスの調整が行われる前のカラー画像に対するホワイトバランスの調整を行うためのゲイン情報とが互いに関連づけられたデータを入力するデータ入力手段と、前記ゲイン情報に基づいて前記画像データに対するホワイトバランス調整を行うとともに、前記γ変換情報に基づいて前記画像データに対する画像処理を行う画像処理手段と、前記画像処理手段によってホワイトバランス調整及び画像処理が行われたカラー画像を表示する表示手段と、を備えている。」
　と訂正する。
　
（ｅ）　発明の詳細な説明における段落【００１７】の記載
　「【００１７】請求項２に記載の発明は、プログラムが、コンピュータを、ホワイトバランスの調整が行われる前のカラー画像に関する画像データと、前記カラー画像に対するホワイトバランスの調整を行うためのゲイン情報とが互いに関連づけられたデータを入力するデータ入力手段、前記ゲイン情報に基づいて前記画像データに対するホワイトバランス調整を行い、前記ホワイトバランスが調整されたカラー画像を表示させる画像処理手段、として機能させることを特徴としている。」
　を、
　「【００１７】請求項２に記載の発明は、プログラムが、コンピュータを、カラー画像に対して施されたγ変換情報と、ホワイトバランスの調整が行われる前のカラー画像に関する画像データと、前記ホワイトバランスの調整が行われる前のカラー画像に対するホワイトバランスの調整を行うためのゲイン情報とが互いに関連づけられたデータを入力するデータ入力手段、前記ゲイン情報に基づいて前記画像データに対するホワイトバランス調整を行うとともに、前記γ変換情報に基づいて前記画像データに対する画像処理を行い、前記ホワイトバランス調整及び画像処理が行われたカラー画像を表示させる画像処理手段、として機能させることを特徴としている。」
　と訂正する。
　
（ｆ）発明の詳細な説明における段落【００１９】の
　「【００１９】請求項３に記載の発明は、画像データ生成装置と画像処理装置とを備える画像処理システムであって、前記画像データ生成装置が、物体からの光を光電変換することによってカラー画像を生成する撮像手段と、前記カラー画像を分析し、前記カラー画像に対するホワイトバランスの調整を適切に行うためのゲイン情報を生成するゲイン情報生成手段と、前記ホワイトバランスの調整が行われる前の前記カラー画像に関する画像データと、前記ゲイン情報とを互いに関連付けた画像ファイルを前記画像処理装置に出力する出力手段と、を備え、前記画像処理装置が、前記画像ファイルを入力するデータ入力手段と、前記ゲイン情報に基づいて前記画像データに対するホワイトバランス調整を行う画像処理手段と、前記画像処理手段によってホワイトバランスが調整されたカラー画像を表示する表示手段と、を備えることを特徴としている。」
　を、
　「【００１９】請求項３に記載の発明は、画像データ生成装置と画像処理装置とを備える画像処理システムであって、前記画像データ生成装置が、物体からの光を光電変換することによってカラー画像を生成する撮像手段と、前記カラー画像を分析し、前記カラー画像に対するホワイトバランスの調整を適切に行うためのゲイン情報と、前記カラー画像に対するγ変換の処理内容を特定するγ変換情報とを生成する変換情報生成手段と、前記γ変換情報に基づいて前記カラー画像に対してγ変換を施すγ変換手段と、前記γ変換情報と、前記ホワイトバランスの調整が行われる前の前記カラー画像に関する画像データと、前記ゲイン情報とを互いに関連付けた画像ファイルを前記画像処理装置に出力する出力手段と、を備え、前記画像処理装置が、前記画像ファイルを入力するデータ入力手段と、前記ゲイン情報に基づいて前記画像データに対するホワイトバランス調整を行うとともに、前記γ変換情報に基づいて前記画像データに対する画像処理を行う画像処理手段と、前記画像処理手段によってホワイトバランス調整及び画像処理が行われたカラー画像を表示する表示手段と、を備えることを特徴としている。」
　と訂正する。
　
（ｇ）発明の詳細な説明における段落【０１３４】の記載
　「【０１３４】
【発明の効果】以上説明したように、請求項１，２及び３に記載の発明によれば、ゲイン情報に基づいて画像データに対するホワイトバランス調整を行い、ホワイトバランスが調整されたカラー画像を表示するように構成されるため、表示された画像に対して加工を施す場合でも、ホワイトバランス調整前の画像データに対して画像処理を行うことができ、階調の再現性が低下することを抑制することが可能になる。」
　を、
　「【０１３４】
【発明の効果】以上説明したように、請求項１，２及び３に記載の発明によれば、ゲイン情報に基づいて画像データに対するホワイトバランス調整を行い、ホワイトバランスが調整されたカラー画像を表示するように構成されるため、表示された画像に対して加工を施す場合でも、ホワイトバランス調整前の画像データに対して画像処理を行うことができ、階調の再現性が低下することを抑制することが可能になる。また、カラー画像に対して施されたγ変換の内容を、γ変換情報によって特定することができるので、γ変換情報に基づいて画像データに対する画像処理を行うことにより、適切な画像データを生成できるようになっている。」
　と訂正する。
　
（２）訂正の目的の適否、新規事項の有無及び拡張・変更の存否
　上記訂正事項（ａ）〜（ｂ）は、入力手段に入力するデータに対し、ホワイトバランスの調整が行われる前のカラー画像に関する画像データと、ホワイトバランスの調整が行われる前のカラー画像に対するホワイトバランスの調整を行うためのゲイン情報との他に、さらにカラー画像に対して施されたγ変換情報を関連づけることを限定するものであり、また、画像処理手段が、ホワイトバランス調整を行うことに加えさらにカラー画像に対して施されたγ変換情報に基づいて画像データに対する画像処理を行うことを限定するものであって、この限定内容は明細書の段落【００４５】〜【００７６】の記載から読みとれるものであるから、願書に添付した明細書に記載された事項の範囲内において訂正するものであり、特許請求の範囲の減縮に該当し、新規事項の追加に該当しない。
　上記訂正事項（ｃ）は、変換情報生成手段が、ホワイトバランスの調整を適切に行うためのゲイン情報の他にカラー画像に対するγ変換の処理内容を特定するγ変換情報をも生成することを限定するものであり、また、画像データ生成手段が、変換情報生成手段及び画像ファイルを画像処理装置に出力する出力手段の他にさらにγ変換情報に基づいてカラー画像に対してγ変換を施すγ変換手段をも備えることを限定するものであるから、願書に添付した明細書に記載された事項の範囲内において訂正するものであり、特許請求の範囲の減縮に該当し、新規事項の追加に該当しない。
　上記訂正事項（ｄ）〜（ｇ）は、願書に添付した明細書に記載された事項の範囲内において訂正するものであり、明りょうでない記載の釈明に該当し新規事項の追加に該当しない。
　そして、上記訂正は、実質上特許請求の範囲を拡張し、変更するものでもない。
　
（３）以上のとおりであるから、上記訂正は、特許法第１２０条の４第２項及び第３項において準用する特許法第１２６条第２項から第４項までの規定に適合するので、当該訂正を認める。
　
３．特許異議の申立てについて
　異議申立人大木茂は、証拠として
甲第１号証（特開平６−１６９４６２号公報）、甲第２号証（特開平１−２４３６８６号公報）、甲第３号証（特開平１１−２６１９３３号公報）、甲第４号証（特開２００１−２２３９７９号公報）、を提出し、本件請求項１−３に係る発明は、甲第１号証に記載された発明であるから、本件請求項１−３に係る発明は、特許法第２９条第１項の規定により特許を受けることができないものであり、また、本件請求項１〜３に係る発明は、甲第１〜３号証に記載された発明に基いて当業者が容易に発明をすることができたものであるから、本件請求項１〜３に係る発明は、特許法第２９条第２項の規定により特許を受けることができないものであり、また、本件請求項１〜３に係る発明は、本件出願前に出願され本件出願後に出願公開されたもの（甲第４号証）の願書に最初に添付したに記載された先願発明と同一であるから、本件請求項１〜３に係る発明は、特許法第２９条の２の規定により特許を受けうることができないものであり、したがって、本件請求項１〜３に係る発明の特許を取消すべき旨主張している。
　
４．本件発明
　本件請求項１〜３に係る発明は、その特許請求の範囲の請求項１〜３に記載された次のとおりのものである。
　
　【請求項１】カラー画像を処理する画像処理装置であって、
　カラー画像に対して施されたγ変換情報と、ホワイトバランスの調整が行われる前のカラー画像に関する画像データと、前記ホワイトバランスの調整が行われる前のカラー画像に対するホワイトバランスの調整を行うためのゲイン情報とが互いに関連づけられたデータを入力するデータ入力手段と、
　前記ゲイン情報に基づいて前記画像データに対するホワイトバランス調整を行うとともに、前記γ変換情報に基づいて前記画像データに対する画像処理を行う画像処理手段と、
　前記画像処理手段によってホワイトバランス調整及び画像処理が行われたカラー画像を表示する表示手段と、
を備えることを特徴とする画像処理装置。
　
　【請求項２】コンピュータを、
　カラー画像に対して施されたγ変換情報と、ホワイトバランスの調整が行われる前のカラー画像に関する画像データと、前記ホワイトバランスの調整が行われる前のカラー画像に対するホワイトバランスの調整を行うためのゲイン情報とが互いに関連づけられたデータを入力するデータ入力手段、
　前記ゲイン情報に基づいて前記画像データに対するホワイトバランス調整を行うとともに、前記γ変換情報に基づいて前記画像データに対する画像処理を行い、前記ホワイトバランス調整及び画像処理が行われたカラー画像を表示させる画像処理手段、
として機能させることを特徴とするプログラム。
　
　【請求項３】画像データ生成装置と画像処理装置とを備える画像処理システムであって、
　前記画像データ生成装置は、
　物体からの光を光電変換することによってカラー画像を生成する撮像手段と、
　前記カラー画像を分析し、前記カラー画像に対するホワイトバランスの調整を適切に行うためのゲイン情報と、前記カラー画像に対するγ変換の処理内容を特定するγ変換情報とを生成する変換情報生成手段と、
　前記γ変換情報に基づいて前記カラー画像に対してγ変換を施すγ変換手段と、
　前記γ変換情報と、前記ホワイトバランスの調整が行われる前の前記カラー画像に関する画像データと、前記ゲイン情報とを互いに関連付けた画像ファイルを前記画像処理装置に出力する出力手段と、
を備え、
　前記画像処理装置は、
　前記画像ファイルを入力するデータ入力手段と、
　前記ゲイン情報に基づいて前記画像データに対するホワイトバランス調整を行うとともに、前記γ変換情報に基づいて前記画像データに対する画像処理を行う画像処理手段と、
　前記画像処理手段によってホワイトバランス調整及び画像処理が行われたカラー画像を表示する表示手段と、
を備えることを特徴とする画像処理システム。
　
５．引用刊行物記載の発明
（１）当審で通知した取消理由に引用した刊行物１（特開平６−１６９４６２号公報）（甲第１号証）には、次のような発明が記載されている。
　「レリーズボタンが半押し状態にされたとき、測光動作を実行し、さらにレリーズボタンが全押し状態とされたとき、測色動作を実行するとともに、測光効果に対応してホワイトバランスの調整を行い、ビデオ信号を処理してビデオフロッピに記録し、もしくは、ホワイトバランスを調整せずに、撮像処理部により処理したビデオ信号を、記録部を介してビデオフロッピにそのままホワイトバランス調整データと共に記録する静止画撮像方法および装置。」
　
（２）当審で通知した取消理由に引用した刊行物２（特開平１−２４３６８６号公報）（甲第２号証）には、次のような発明が記載されている。
　「記録媒体としてメモリカードを用い静止画を記録する電子カメラであって、該メモリカードの全メモリ空間を、ディレクトリ領域とFAT(file allocation table)領域と、データ領域とに区分し、ブロック番号１１Ｈの２５６バイトにはフラッシュ使用の有無、ホワイトバランスのデータ、露出値（または絞り値）およびシャッタースピード値を含む撮像条件のデータを記録し、残りの２５２バイトはタイトル等を記録するためにユーザ領域として空けておき、２５７バイト目からブロック番号２ＡＨまでは連続して画像データを記憶するようにした電子カメラおよびその記録方法。」
　
（３）当審で通知した取消理由に引用した刊行物３（特開平１１−２６１９３３号公報）（甲第３号証）には、次のような発明が記載されている。
　「画像処理部２０を有し、該画像処理部２０は、撮像した画像データを用いて所定の演算処理を行い、得られた演算結果に基づいてＴＴＬ方式のＡＷＢ（オートホワイトバランス）処理を行う画像処理装置、画像処理装置の制御方法、記録媒体。」
　
（４）当審で通知した取消理由に引用した刊行物４（特願２０００−２９５８５号）（特開平２００１−２２３９７９号公報）（甲第４号証）には、次のような発明が記載されている。
　「ＣＣＤ−ＲＡＷの画像データが格納された画像ファイル４００には、画像データ４１０とともに、画像付属情報として、機種情報４０２、画像再生用パラメータ４０４、撮影時付属情報４０６、及び被プリント情報４０８が格納され、画像再生用パラメータ４０４には、ＲＧＢ毎にＣＣＤの出力信号から減算するoptical black分の値を格納したＯＢ補正用データ、色バランスのためにＲＧＢ毎にＣＣＤの出力信号に適用される階調補正の変換テーブルを格納したＬＵＴデータが格納されており、入力部２１０は、画像データと画像付属情報を含む画像ファイル、及びプリント情報を含むプリントファイルを入力し、処理部２２０は、入力部２１０が入力した画像ファイル及びプリントファイルを記憶し、プリントファイルに記述されたプリントジョブ情報に基づいて、画像ファイルに格納された画像データの調整、補正等の画像処理を行い、画像補正部５１０は、撮影機種判定部５０６が判定する機種に基づき、画像情報読込部５０６が読み込んだ画像付帯情報の画像再生用パラメータを用いて、機種に依存した画像補正をＣＣＤ−ＲＡＷデータに対して行い、出力部２５０は、処理部２２０が出力する画像データを表示または印刷する画像撮影装置及び画像処理装置。」
　
６．対比・判断
（６．１）
　請求項１〜２に係る発明と刊行物１〜４に記載された発明とを対比すると、刊行物１〜４に記載された発明はいずれも、請求項１〜２に記載された特許を受けようとする発明を特定する事項の一部である
　「カラー画像に対して施されたγ変換情報と、ホワイトバランスの調整が行われる前のカラー画像に関する画像データと、前記ホワイトバランスの調整が行われる前のカラー画像に対するホワイトバランスの調整を行うためのゲイン情報とが互いに関連づけられたデータを入力するデータ入力手段と、前記ゲイン情報に基づいて前記画像データに対するホワイトバランス調整を行うとともに、前記γ変換情報に基づいて前記画像データに対する画像処理を行う画像処理手段」について開示しない。
　そして、請求項１〜２に係る発明は、上記特許を受けようとする発明を特定する事項を有することにより、明細書記載の「ゲイン情報に基づいて画像データに対するホワイトバランス調整を行い、ホワイトバランスが調整されたカラー画像を表示するように構成されるため、表示された画像に対して加工を施す場合でも、ホワイトバランス調整前の画像データに対して画像処理を行うことができ、階調の再現性が低下することを抑制することが可能になる。また、カラー画像に対して施されたγ変換の内容を、γ変換情報によって特定することができるので、γ変換情報に基づいて画像データに対する画像処理を行うことにより、適切な画像データを生成できる。」という効果を奏するものであるから、請求項１〜２に係る発明は、刊行物１〜３に記載された発明であるとも、刊行物１〜３に記載された発明に基いて当業者が容易に発明をすることができた発明であるとも、また、本件出願前に出願され本件出願後に出願公開されたもの（刊行物４）の願書に最初に添付された明細書に記載された先願発明と同一であるともいえない。
　
（６．２）
　請求項３に係る発明と刊行物１〜４に記載された発明とを対比すると、
　刊行物１〜４に記載された発明はいずれも、請求項１〜２に記載された特許を受けようとする発明を特定する事項の一部である
　「前記カラー画像を分析し、前記カラー画像に対するホワイトバランスの調整を適切に行うためのゲイン情報と、前記カラー画像に対するγ変換の処理内容を特定するγ変換情報とを生成する変換情報生成手段と、前記γ変換情報に基づいて前記カラー画像に対してγ変換を施すγ変換手段と、前記γ変換情報と、前記ホワイトバランスの調整が行われる前の前記カラー画像に関する画像データと、前記ゲイン情報とを互いに関連付けた画像ファイルを前記画像処理装置に出力する出力手段」について開示しない。
　そして、請求項３に係る発明は、上記特許を受けようとする発明を特定する事項を有することにより、明細書記載の「ゲイン情報に基づいて画像データに対するホワイトバランス調整を行い、ホワイトバランスが調整されたカラー画像を表示するように構成されるため、表示された画像に対して加工を施す場合でも、ホワイトバランス調整前の画像データに対して画像処理を行うことができ、階調の再現性が低下することを抑制することが可能になる。また、カラー画像に対して施されたγ変換の内容を、γ変換情報によって特定することができるので、γ変換情報に基づいて画像データに対する画像処理を行うことにより、適切な画像データを生成できる。」という効果を奏するものであるから、請求項３に係る発明は、刊行物１〜３に記載された発明であるとも、刊行物１〜３に記載された発明に基いて当業者が容易に発明をすることができた発明であるとも、また、本件出願前に出願され本件出願後に出願公開されたもの（刊行物４）の願書に最初に添付された明細書に記載された先願発明と同一であるともいえない。
　
７．むすび
　以上のとおりであるから、特許異議申立の理由及び証拠によっては、本件請求項１〜３に係る発明の特許を取り消すことができない。
　また、他に本件請求項１〜３に係る発明の特許を取り消すべき理由を発見しない。
　
　よって、結論のとおり決定する。
　
【異議決定日】
平成１６年７月６日（２００４．７．６）
【訂正の要旨】
審決（決定）の【理由】欄参照。
（５４）【発明の名称】
画像データ生成装置、画像処理装置及び画像処理システム、並びにプログラム
（５７）【特許請求の範囲】
　【請求項１】　カラー画像を処理する画像処理装置であって、
　
カラー画像に対して施されたγ変換情報と、
前記ホワイトバランスの調整が行われる前の
　前記ゲイン情報に基づいて前記画像データに対するホワイトバランス調整を行う
とともに、前記γ変換情報に基づいて前記画像データに対する画像処理を行う
　前記画像処理手段によってホワイトバランス
調整及び画像処理が行われた
を備えることを特徴とする画像処理装置。
　【請求項２】　コンピュータを、
　
カラー画像に対して施されたγ変換情報と、
前記ホワイトバランスの調整が行われる前の
　前記ゲイン情報に基づいて前記画像データに対するホワイトバランス調整を行
うとともに、前記γ変換情報に基づいて前記画像データに対する画像処理を行
調整及び画像処理が行われた
として機能させることを特徴とするプログラム。
　【請求項３】　画像データ生成装置と画像処理装置とを備える画像処理システムであって、
　前記画像データ生成装置は、
　物体からの光を光電変換することによってカラー画像を生成する撮像手段と、
　前記カラー画像を分析し、前記カラー画像に対するホワイトバランスの調整を適切に行うためのゲイン情報
と、前記カラー画像に対するγ変換の処理内容を特定するγ変換情報と
変換
　
前記γ変換情報に基づいて前記カラー画像に対してγ変換を施すγ変換手段と、
　
前記γ変換情報と、
を備え、
　前記画像処理装置は、
　前記画像ファイルを入力するデータ入力手段と、
　前記ゲイン情報に基づいて前記画像データに対するホワイトバランス調整を行う
とともに、前記γ変換情報に基づいて前記画像データに対する画像処理を行う
　前記画像処理手段によってホワイトバランス
調整及び画像処理が行われた
を備えることを特徴とする画像処理システム。
【発明の詳細な説明】
　【０００１】
　【発明の属する技術分野】
　この発明は、デジタルカメラやスキャナ等のような画像データを生成する画像データ生成装置、画像データ生成装置等によって生成された画像データに画像処理を施す画像処理装置、及び画像データ生成装置と画像処理装置とを備えた画像処理システム、並びにプログラムに関する。
　【０００２】
　【従来の技術】
　デジタルカメラやスキャナ等のような画像データ生成装置では、物体からの光を光電変換することによってカラー画像に関する画像データの生成が行われる。このような装置は生成した画像データをデジタルデータとして記録又は出力するように構成される。
　【０００３】
　また、画像データ生成装置で得られた画像データをコンピュータに入力し、そのコンピュータにおいて画像処理を施すことにより、画像データ生成装置で得られるカラー画像をユーザの好みに応じて加工することも従来から行われている。
　【０００４】
　【発明が解決しようとする課題】
　しかしながら、画像データがデジタルデータあるため、その画像データをそのまま使用する場合には何ら問題は生じないが、画像データの階調数を増加させるような画像処理を行って新たにオリジナルな画像データを作成しようとする場合にはビット落ち等が発生して階調の再現性が著しく悪化するという問題が生じる。
　【０００５】
　例えば、デジタルカメラ等の画像データ生成装置においては、撮影の結果得られたカラー画像の各色成分ごとに可変ゲインアンプを設けてカラー画像のホワイトバランスを調整することが行われる。このデジタルカメラを用いてタングステン光下で撮影を行った場合、光量的には撮像素子のＲ（レッド）成分を検出する画素に入射する光成分が多くなるが、ホワイトバランスの調整によってＲ成分のデータが抑制される。このため、ユーザがその後にタングステン光下で撮影した画像を忠実に再現するために画像の赤み成分を増すようなデータ加工を行った場合には、その時点でビット落ちが生じることとなり、階調のなめらかさ（分解能）を損なうことになる。
　【０００６】
　また、γ変換（γ補正）を行う場合も、例えば１２ビットの入力データに対して所定のγ変換を施し、８ビットの出力データを生成することが行われるが、その結果えられた画像データの階調数を増加させるような画像処理が行われた場合には、ビット落ちが生じることとなる。
　【０００７】
　そこで、この発明は、上記課題に鑑みてなされたものであって、階調を増加する場合に階調の再現性が低下することを抑制することのできる、画像データ生成装置、画像処理装置及び画像処理システム、並びにプログラムを提供することを目的とする。
　【０００８】
　【課題を解決するための手段】
　上記目的を達成するために、請求項１に記載の発明は、カラー画像を処理する画像処理装置であって、
カラー画像に対して施されたγ変換情報と、
前記ホワイトバランスの調整が行われる前の
とともに、前記γ変換情報に基づいて前記画像データに対する画像処理を行う
調整及び画像処理が行われた
　【００１７】
　請求項２に記載の発明は、プログラムが、コンピュータを、
カラー画像に対して施されたγ変換情報と、
前記ホワイトバランスの調整が行われる前の
うとともに、前記γ変換情報に基づいて前記画像データに対する画像処理を行
調整及び画像処理が行われた
　【００１９】
　請求項３に記載の発明は、画像データ生成装置と画像処理装置とを備える画像処理システムであって、前記画像データ生成装置が、物体からの光を光電変換することによってカラー画像を生成する撮像手段と、前記カラー画像を分析し、前記カラー画像に対するホワイトバランスの調整を適切に行うためのゲイン情報
と、前記カラー画像に対するγ変換の処理内容を特定するγ変換情報と
変換
前記γ変換情報に基づいて前記カラー画像に対してγ変換を施すγ変換手段と、前記γ変換情報と、
とともに、前記γ変換情報に基づいて前記画像データに対する画像処理を行う
調整及び画像処理が行われた
　【００２１】
　【発明の実施の形態】
　以下、この発明の実施の形態について図面を参照しつつ詳細に説明する。
　【００２２】
　＜１．第１の実施の形態＞
　まず、この発明の第１の実施の形態について説明する。この実施の形態では、画像データ生成装置がデジタルカメラである場合を例に挙げて説明する。また、デジタルカメラとコンピュータとで構成される画像処理システムも例に挙げる。
　【００２３】
　図１はデジタルカメラ１の機能構成を示すブロック図である。デジタルカメラ１は、撮像素子１０１とＣＤＳ（相間二重サンプリング部）１０２とＡ／Ｄ変換器１０３と画素補間部１０４とγ変換部１０５と色差マトリクス部１０６と画像圧縮部１０７と出力部１０８と記録媒体１０９と変換情報生成部１１０とを備えている。なお、記録媒体１０９はデジタルカメラ１に着脱自在なように構成される。
　【００２４】
　撮像素子１０１は２次元ＣＣＤ撮像素子等で構成される撮像手段であり、受光面に複数の画素を有し、物体（被写体）からの光を光電変換することによってカラー画像に関する画像信号を生成する。この画像信号はＣＤＳ１０２に与えられ、ＣＤＳ１０２において画像信号に含まれるノイズの低減が行われる。ノイズを低減された画像信号はＡ／Ｄ変換器１０３へと導かれ、Ａ／Ｄ変換器１０３において画像信号がデジタル化されて画像データＧＤが生成される。この画像データＧＤは例えばカラー画像を構成するＲ（レッド）、Ｇ（グリーン）、Ｂ（ブルー）の各色成分ごとの画像データとなっている。また、各色成分の画像データは各画素ごとに例えば１２ビットのデータとして表される。この画像データは画素補間部１０４及び変換情報生成部１１０に与えられる。
　【００２５】
　画素補間部１０４はＲＧＢの各色成分の画像データＧＤの画素補間を行う。例えば撮像素子１０１がベイヤー配列の画素構成を有する場合には、ＲＧＢの各色成分の画像データＧＤにおいて隣接画素のデータが欠損した状態になるので、その欠損したデータの補間処理が行われる。
　【００２６】
　γ変換部１０５は撮像素子１０１で得られた画像に、ディスプレイ等で観察することを想定して、ディスプレイ等の入出力特性に対する逆特性の補正をかけるものである。
　【００２７】
　図２はγ特性の一例を示す図である。γ変換部１０５に入力信号（例えば１２ビット）が入力すると、出力信号（例えば８ビット）が図２のようなγ曲線に基づく変換を受けて出力される。このようなγ特性は、撮影によって得られた画像を表示する際の再現性が最適となるように定められている。なお、例えば、入力信号が１２ビットであり、出力信号が８ビットである場合には、γ変換部１０５においてビット落ちが生じることになるが、γ特性における入力ビット数と出力ビット数とを一致させ、ビット落ちが生じないようにしてもよい。
　【００２８】
　色差マトリクス部１０６はＲＧＢの色成分をＹＵＶ（Ｙ：輝度信号、Ｕ：Ｒ−Ｙの色差信号、Ｖ：Ｂ−Ｙの色差信号）の表色系に変換し、その変換後のデータを画像圧縮部１０７に与える。画像圧縮部１０７はＪＰＥＧ等の所定の画像圧縮処理により、色差マトリクス部１０６から与えられる画像データを圧縮する。画像圧縮の行われた画像データＧＤは、出力部１０８に与えられる。
　【００２９】
　変換情報生成部１１０は画像分析部１１１を備えており、画像分析部１１１がＡ／Ｄ変換器１０３から得られる画像データＧＤを入力して、画像データＧＤが示す画像の内容を分析する。そして、その分析結果に基づいて、変換情報生成部１１０は画像データＧＤにどのようなホワイトバランス調整を行えば、カラー画像における色の再現性が最適なものとなるかを判断し、カラー画像の各色成分ごとに設定するゲイン値を決定する。そして変換情報生成部１１０は各色成分ごとのゲイン値を変換情報ＣＤとして出力部１０８に与える。なお、変換情報生成部１１０においては、従来からのオートホワイトバランス調整技術と同様に、各色成分ごとのゲイン値を求めるが、そのゲイン値に基づく画像変換は行わない。
　【００３０】
　出力部１０８は、画像圧縮部１０７から入力する画像データＧＤと、変換情報生成部１１０から入力する変換情報ＣＤとを関連づけた画像ファイルＧＦを生成する。図３は出力部１０８で生成される画像ファイルＧＦを示す図である。図３に示すように画像ファイルＧＦには、画像データＧＤと変換情報ＣＤとが含まれている。出力部１０８は画像データＧＤと変換情報ＣＤとを関連づけた画像ファイルＧＦをメモリカード等の可搬性の記録媒体１０９に出力することにより、撮影の結果得られた画像ファイルＧＦを記録媒体１０９に記録保存する。
　【００３１】
　このようにデジタルカメラ１は、撮像素子１０１から得られた画像データＧＤに対してホワイトバランス調整を行うことなく、記録媒体１０９に画像ファイルＧＦを記録するように構成されているので、ホワイトバランス調整を行うことによって生じるビット落ちの問題がない。
　【００３２】
　そして、このように記録された画像ファイルＧＦを用いてユーザがコンピュータに画像表示を行う場合、画像ファイルＧＦに含まれる変換情報ＣＤを参照すれば、コンピュータ側で最適なホワイトバランス調整を行うことが可能である。
　【００３３】
　さらに、コンピュータ側でユーザが画像データＧＤを加工して新たなオリジナルな画像を生成する場合であっても、ホワイトバランス調整が行われていない画像データＧＤに対して処理することができるので、例えば画像の赤みを増加させるような画像処理を行った場合でも、階調のなめらかさ（分解能）を損なうことがなく、高品質なオリジナル画像を得ることができる。
　【００３４】
　次に、画像ファイルＧＦを用いて画像処理を行う画像処理装置について説明する。
　【００３５】
　図４は画像処理装置２の構成を示すブロック図である。画像処理装置２はコンピュータによって構成され、記録媒体１０９と変換情報入力部２０１と画像データ入力部２０２とデータ伸張部２０３と画像記録部２０４と画像処理部２１０と画像処理操作部２０５と表示器２０６とを備えている。なお、記録媒体１０９は画像処理装置２に対して着脱自在であり、デジタルカメラ１において画像ファイルＧＦの記録された状態で、画像処理装置２に装着される。
　【００３６】
　変換情報入力部２０１は記録媒体１０９に記録されている画像ファイルＧＦから変換情報ＣＤを取得して画像処理装置２に入力するデータ入力手段であり、変換情報ＣＤを画像処理部２１０に与える。また、画像データ入力部２０２は記録媒体１０９に記録されている画像ファイルＧＦから画像データＧＤを取得して画像処理装置２に入力するデータ入力手段であり、画像データＧＤをデータ伸張部２０３に与える。
　【００３７】
　データ伸張部２０３は記録媒体１０９から得られる画像圧縮の施された画像データＧＤに対し、データ伸張処理を施す。このデータ伸張処理は、デジタルカメラ１において行われた画像圧縮処理の逆変換処理に相当する。この結果、画像データＧＤはデジタルカメラ１の画像圧縮部１０７で画像圧縮が施される前の状態に復元される。そして復元された画像データＧＤは画像処理部２１０へと導かれる。
　【００３８】
　画像処理部２１０はマイクロコンピュータが所定のプログラムを実行することによって実現される機能であり、画像データＧＤに対して種々の画像処理を行うことができる。画像処理部２１０にはホワイトバランス調整部２１１が設けられており、ＣＲＴや液晶ディスプレイ等で構成される表示器２０６に対して、画像データＧＤに基づく画像の表示を行う際に、変換情報ＣＤに基づいたホワイトバランス調整を行う。この結果、表示器２０６に表示される画像は、視覚的に違和感のない画像となり、画像表示の再現性を向上することができる。例えば、タングステン光下で撮影した画像であっても、表示器２０６には赤色の抑制された画像が表示され、視覚的に違和感のない画像になる。
　【００３９】
　一方、ユーザが表示器２０６に表示される画像に対して画像処理を施すことにより所望するオリジナルな画像を作成したい場合には、その画像処理の内容を画像処理操作部２０５より入力する。画像処理部２１０は、ユーザの操作に基づいて画像データＧＤに画像処理を施す。
　【００４０】
　例えば、ユーザがタングステン光下で撮影して得られた画像の赤色成分を増加させる画像処理操作を行った場合には、画像処理部２１０は画像データＧＤに対し、Ｒ成分が比較的強くなるような画像処理を施す。このとき、処理対象となる画像データＧＤは、ホワイトバランス調整の行われていない画像データであるので、画像データ中のＲ成分を強くするような画像処理を行ったとしても、ビット落ち等が生じる可能性は少なく、なめらかな階調の画像を得ることができ、高品質なオリジナル画像を生成することができる。
　【００４１】
　つまり、画像処理装置２によれば、ユーザが表示器２０６における表示画像を視認する際には、ホワイトバランス調整のされた画像を視認することができるとともに、ビット落ちを生じさせることなく画像における色の調子を変更することができる。
　【００４２】
　そして画像処理部２１０においてユーザの指示に基づく画像処理が行われると、画像処理後の画像データＧＤが画像記録部２０４に与えられる。画像記録部２０４は、記録媒体１０９に対し画像処理の施された画像データを記録する。
　【００４３】
　このように画像処理装置２はカラー画像に関する画像データＧＤとカラー画像に対して関連づけられた変換情報ＣＤとを入力し、画像処理部２１０が画像データＧＤに対し、変換情報ＣＤに基づいた画像変換を行い、表示器２０６に画像変換された画像を表示するように構成されている。この実施の形態において変換情報ＣＤは、カラー画像における色の再現性が最適なものとなるように各色成分ごとに設定されるゲイン値に関する情報であり、画像処理装置２においてデジタルカメラ１で決定されたゲイン値を適用して画像変換を行うことができるので、色の再現性が最適な状態のカラー画像を表示することができる。すなわち、デジタルカメラ１側でホワイトバランス調整の行われた画像を表示する場合と同様の画像を画像処理装置２の表示器２０６に対して表示することができるのである。
　【００４４】
　また、ユーザの指示に基づいてカラー画像を加工する際には、ホワイトバランス調整等の画像変換が行われていない画像データＧＤに対して画像処理を施すことができるので、ビット落ちの問題もなく、高品質な画像を生成することができる。
　【００４５】
　＜２．第２の実施の形態＞
　次に、この発明の第２の実施の形態について説明する。この実施の形態でも、画像データ生成装置がデジタルカメラである場合を例に挙げて説明する。また、コンピュータで構成される画像処理装置も例に挙げる。
　【００４６】
　図５はデジタルカメラ１ａの機能構成を示すブロック図である。なお、図５において、図１に示した構成部材と同様の構成部材には同一符号を付している。
　【００４７】
　デジタルカメラ１ａは、第１の実施の形態と同様に、撮像素子１０１とＣＤＳ（相間二重サンプリング部）１０２とＡ／Ｄ変換器１０３と画素補間部１０４とγ変換部１０５と色差マトリクス部１０６と画像圧縮部１０７と出力部１０８と記録媒体１０９と変換情報生成部１１０とを備えている。なお、記録媒体１０９はデジタルカメラ１に着脱自在なように構成されてもよい。
　【００４８】
　撮像素子１０１で光電変換して得られたカラー画像に関する画像信号は、ＣＤＳ１０２を介してＡ／Ｄ変換器１０３に入力し、Ａ／Ｄ変換器１０３において画像データＧＤに変換される。
　【００４９】
　この画像データＧＤは例えばカラー画像を構成するＲＧＢの各色成分ごとの画像データとなっており、各色成分の画像データは各画素ごとに例えば１２ビットのデータで表現され、画素補間部１０４及び変換情報生成部１１０に与えられる。
　【００５０】
　画素補間部１０４、色差マトリクス部１０６及び画像圧縮部１０７では第１の実施の形態で説明した処理と同様の処理が行われる。また、γ変換部１０５では記録される画像データのデータ量を低減するために、例えば１２ビットの入力信号に対して８ビットの出力信号を出力する。
　【００５１】
　変換情報生成部１１０は画像分析部１１１を備えており、画像分析部１１１がＡ／Ｄ変換器１０３から得られる画像データＧＤを入力して、画像データＧＤが示す画像の内容を分析する。
　【００５２】
　画像分析部１１１はカラー画像に含まれる各色成分の画素データ（画素値）のヒストグラム分布を評価し、各色成分のヒストグラム分布に偏りがあるか否かを分析する。
　【００５３】
　図６及び図７は各色成分の画像データのヒストグラム分布を示す図である。例えば、図６に示すように画素データのヒストグラム分布がダイナミックレンジＤＲの全体に広がっている場合、画像分析部１１１は良好な画像データであると判断する。これに対し、図７に示すように画素データのヒストグラム分布がダイナミックレンジＤＲの一定の領域のみに分布する場合、画像分析部１１１は画素データのヒストグラム分布に偏りがあると判断する。具体的な判断手法として、例えば図７に示すようにヒストグラム分布のある画素データ（画素値）に閾値ＴＨを設定し、ダイナミックレンジＤＲにおいて閾値ＴＨ以下の領域にデータの大部分（例えば１００％）が存在する場合にヒストグラム分布に偏りがあると判断するという手法を採用することができるし、またその他の判断手法を採用してもよい。
　【００５４】
　その結果、画素データに偏りがあると判断された場合であってγ変換部１０５で図２に示したようなγ変換を行う場合、撮像素子１０１から得られる画像データの分解能を著しく低下させることになる。
　【００５５】
　例えば、図６に示すようなヒストグラム分布の場合、図２に示すようなγ変換を行うことで階調圧縮が良好に行われる。ところが、図７に示すようなヒストグラム分布の場合、図２に示すような出力信号の８ビット全体を使用することができなくなる。
　【００５６】
　この現象についてより詳しく説明する。図８は図２のγ特性に対する出力信号の状態を説明するための図である。図６のヒストグラム分布の場合には、ヒストグラム分布がダイナミックレンジＤＲの全体に広がっているため、γ変換を行うと、８ビットの出力信号が入力信号の全領域に対応する領域Ｒ１で生成されため、階調圧縮が良好に行われる。ところが、図７のヒストグラム部分の場合には、ヒストグラム分布がダイナミックレンジＤＲにおいて閾値ＴＨ以下の領域に集中的に分布しているため、γ変換を行っても８ビットの全体の領域Ｒ１を有効に使用することができず、８ビットの領域Ｒ１のうちの一部である領域Ｒ２に対応する出力信号しか得られない。このため、ヒストグラム分布に偏りがある場合には、γ変換部１０５においてγ変換を従来通り行うと８ビットの出力信号の分解能が低下し、その結果得られる画像データに対して階調値を増加させるような意図的な画像処理を行った場合に、ビット落ちが生じやすくなる。
　【００５７】
　そこで、この実施の形態ではγ変換部１０５における画像データの分解能の低下を抑制するために、画像分析部１１１の画像分析結果に基づいて変換情報生成部１１０がγ変換部１０５における変換処理を制御するように構成する。
　【００５８】
　変換情報生成部１１０は分解能を低下させることなく出力信号を生成するために、画像分析部１１１においてヒストグラム分布に偏りがあると判断された場合には、以下の第１乃至第３の処理のうちのいずれかの処理を行うように構成される。
　【００５９】
　第１の処理はγ変換部１０５におけるγ変換機能を停止させ、画素補間部１０４から得られる１２ビットの画像データに対してγ変換を行うことなくそのまま色差マトリクス部１０６に出力させる処理である。変換情報生成部１１０がγ変換部１０５を停止させることにより、ビット落ちの問題を解消することができる。
　【００６０】
　第２の処理はγ変換部１０５においてγ変換を行わずに、１２ビットの入力信号のうち、画像データが分布する領域を８ビットで表現した出力信号に変換して出力する。つまり、図７に示すヒストグラム分布において、ダイナミックレンジＤＲの閾値ＴＨ以下の領域を８ビットになるようにゲインアップして出力信号を生成し、出力する。このような処理を行うことにより、画素データの偏りのある階調分布をダイナミックレンジ内で拡大することができ、ビット落ちの問題を解消することができる。
　【００６１】
　第３の処理は、１２ビットの入力信号のうち、画像データが分布する領域だけを１２ビットで表現するようにゲインアップを行い、その後γ変換を行う。つまり、図７に示すヒストグラム分布においてダイナミックレンジＤＲの閾値ＴＨ以下の領域が１２ビットになるようにゲインアップした信号を生成することにより、画素データの偏りのある階調分布をダイナミックレンジ内で拡大してγ変換を行うことにより、ビット落ちの問題を解消する。
　【００６２】
　上記のような第１乃至第３の処理のうちのいずれかを行うことにより、画素データのヒストグラム分布に偏りがある場合でも、ビット落ちの問題を解消することができる。
　【００６３】
　変換情報生成部１１０は分解能を低下させることなく出力信号を生成するために、各色成分について、上記第１乃至第３の処理のうちのγ変換部１０５に適用する処理内容に関する処理情報ＨＤを生成し、それをγ変換部１０５に与えることによってγ変換部１０５で上記第１乃至第３の処理のうちのいずれかが行われるように動作制御する。
　【００６４】
　なお、変換情報生成部１１０がγ変換部１０５に対して上記第２又は第３の処理を指示する際には、画素データのヒストグラム分布においてデータの大部分が存在する領域を特定して閾値ＴＨを求め、ゲインアップを行うための領域を指定するように構成され、その領域指定に関する情報が上記の処理情報ＨＤに含まれる。
　【００６５】
　また、変換情報生成部１１０は、第１の実施の形態と同様に、画像の分析結果に基づいて、画像データＧＤにどのようなホワイトバランス調整を行えば、カラー画像における色の再現性が最適なものとなるかを判断し、カラー画像の各色成分ごとに設定するゲイン値ＶＤを決定する。
　【００６６】
　そして変換情報生成部１１０は各色成分ごとの処理情報ＨＤとゲイン値ＶＤとを変換情報ＣＤとして出力部１０８に与える。変換情報ＣＤに含まれる処理情報ＨＤを参照すれば、γ変換部１０５でどのような処理が行われたかを認識することができる。なお、変換情報生成部１１０がγ変換部１０５に対して上記第１の処理を指示した際には、γ変換部１０５においてγ変換が行われることなく出力信号が生成されるため、その出力信号に適用すべきγ特性に関する情報を変換情報ＣＤに含めておくことが好ましい。
　【００６７】
　γ変換部１０５は撮像素子１０１で得られた画像に、ディスプレイ等で観察することを想定して、ディスプレイ等の入出力特性に対する逆特性の補正をかけるものであり、変換情報生成部１１０から与えられる処理情報ＨＤに基づいて機能する。すなわち、ヒストグラム分布に偏りがある場合には、上記第１乃至第３の処理のうちのいずれか一の処理が行われる一方、ヒストグラム分布が良好である場合には、入力信号に対して図２のようなγ特性に基づくデータ変換が施され、８ビットの出力信号が生成される。したがって、γ変換部１０５においては、γ変換が行われずに出力信号が生成される場合もある。
　【００６８】
　そして最終的に画像圧縮部１０７で画像圧縮の行われた画像データＧＤは、出力部１０８に与えられる。
　【００６９】
　出力部１０８は、画像圧縮部１０７から入力する画像データＧＤと変換情報生成部１１０から入力する変換情報ＣＤとを関連づけた画像ファイルＧＦを生成して、記録媒体１０９に画像ファイルＧＦを記録保存する。
　【００７０】
　デジタルカメラ１ａは、第１の実施の形態と同様に、撮像素子１０１から得られた画像データＧＤに対してホワイトバランス調整を行うことなく、記録媒体１０９に画像ファイルＧＦを記録するように構成されているので、ホワイトバランス調整を行うことによって生じるビット落ちの問題がない。
　【００７１】
　さらに、この実施の形態のデジタルカメラ１ａは画像変換の一種であるγ変換を行う際に、ヒストグラム分布（階調分布）をダイナミックレンジ内で拡大処理する画像変換が行われるように構成されるため、画像データの分解能を低下させることなく、γ変換を行う処理を効率的に行うことができる。
　【００７２】
　また、γ変換部１０５においてどのようなγ変換が行われたかを示す情報（処理情報ＨＤ）は変換情報ＣＤとして画像ファイルＧＦに含まれるため、ユーザがコンピュータのディスプレイに画像ファイルＧＦに基づく画像表示を行う場合、画像ファイルＧＦに含まれる変換情報ＣＤを参照すれば、コンピュータ側で適切な画像データを生成することが可能である。
　【００７３】
　さらに、コンピュータ側でユーザが画像データＧＤを加工して新たなオリジナルな画像を生成する場合であっても、γ変換の際に画像データの分解能が低下しないような画像変換が行われているので、画質が劣化する可能性が少なくなる。例えば８ビットの画像データの階調値を増加させるような画像処理を行った場合でも、階調のなめらかさ（分解能）を損なうことがなく、高品質なオリジナル画像を得ることができる。
　【００７４】
　この実施の形態において記録媒体１０９に記録された画像ファイルＧＦを用いて画像処理を行う画像処理装置の構成は、第１の実施の形態で説明したものと同様のものを適用可能である（図４参照）。
　【００７５】
　表示器２０６に画像を表示する際には、画像処理部２１０におけるホワイトバランス調整部２１１が適切にホワイトバランス調整を行うとともに、画像処理部２１０がどのようなγ変換が行われたかに基づいて適切な画像データを生成する。つまり、画像処理装置が変換情報ＣＤに基づいてダイナミックレンジ内での階調分布の拡大処理を解析して、画像データＧＤに対する画像処理を行って表示器２０６に表示する。
　【００７６】
　そして、ユーザが表示器２０６に表示される画像に対して画像処理を施すことによって所望するオリジナルな画像を作成したい場合には、その画像処理の内容を画像処理操作部２０５より入力する。画像処理部２１０は、ユーザの操作に基づいて画像データＧＤに画像処理を施す。例えば、８ビットのデータを１０ビットのデータに変換して階調数を増加させたい場合であっても、デジタルカメラ１ａにおけるγ変換部１０５において分解能が低下しないような処理がなされているため、変換情報ＣＤに基づいて画像データＧＤに対する画像処理を行えば、比較的にビット落ち等が少なく、なめらかな階調の画像を得ることができ、高品質なオリジナル画像を生成することができる。
　【００７７】
　＜３．第３の実施の形態＞
　次に、この発明の第３の実施の形態について説明する。この実施の形態でも、画像データ生成装置がデジタルカメラである場合を例に挙げて説明する。また、デジタルカメラとコンピュータとで構成される画像処理システムも例に挙げる。
　【００７８】
　図９はデジタルカメラ１ｂの機能構成を示すブロック図である。なお、図９において、図１及び図５に示した構成部材と同様の構成部材には同一符号を付している。
　【００７９】
　デジタルカメラ１ｂは、撮像素子１０１とＣＤＳ（相間二重サンプリング部）１０２とＡ／Ｄ変換器１０３と変換情報生成部１１０と第１画像変換部１２０と第２画像変換部１３０とホワイトバランス制御部１４０と出力部１０８と記録媒体１０９とを備えて構成される。撮像素子１０１、ＣＤＳ１０２及びＡ／Ｄ変換器１０３は上記各実施の形態のものと同様である。なお、この実施の形態でも記録媒体１０９はデジタルカメラ１に着脱自在なように構成されてもよい。
　【００８０】
　第１画像変換部１２０はカラー画像を構成する各色成分のうち、特定の色成分について第２の実施の形態と同様の処理を行うための画像変換部である。第１画像変換部１２０は、変換情報生成部１１０から指示される特定の色成分の画像データについて画素補間を行う画素補間部１２２と、変換情報生成部１１０から指定される変換対象領域についてγ変換を行うγ変換部１２３と、特定の色成分の画像データを圧縮するための画像圧縮部１２４とを備えて構成される。
　【００８１】
　一方、第２画像変換部１３０は従来のデジタルカメラ等と同様の構成であり、カラー画像に従来と同様の画像変換を行うことによってカラー画像を一般的な最適状態にして表示するための画像変換を行うための画像変換部である。第２画像変換部１３０は、ホワイトバランス制御部１４０からの指示に基づいて各色成分ごとにゲイン値を設定してホワイトバランスの調整を行うホワイトバランス調整部１３１と、各色成分の画像データについて画素補間を行う画素補間部１３２と、所定のγ特性に基づいてγ変換を行うγ変換部１３４と、カラー情報を色差で示した画像データに変換する色差マトリクス部１３５と、画像圧縮を行う画像圧縮部１３６とを備えて構成される。
　【００８２】
　撮像素子１０１、ＣＤＳ１０２及びＡ／Ｄ変換器１０３を介して画像データＧＤは、変換情報生成部１１０と第１画像変換部１２０と第２画像変換部１３０とホワイトバランス制御部１４０とに与えられる。
　【００８３】
　変換情報生成部１１０は画像分析部１１１及びリンク情報生成部１１２を備えている。画像分析部１１１は、画像データＧＤの画像分析を行い、カラー画像を構成する各色成分の画像データのうちからヒストグラム分布に偏りのあるカラー成分を特定する。変換情報生成部１１０はその特定された色成分について第１画像変換部１２０における画像変換を実行させるべく、画素補間部１２２に対して画素補間の対象とする色成分を指示する。また、変換情報生成部１１０は特定された色成分について分解能を低下させることなくγ変換部１２３における画像変換を行うために、第２の実施の形態と同様にして、γ変換後の８ビットの出力信号を生成するための入力信号に対する変換対象領域を特定し、その領域を指定するための領域指定情報ＨＤを生成する。この領域指定情報ＨＤはγ変換部１２３に与えられる。また、変換情報生成部１１０はヒストグラム分布に偏りがあるとして特定した色成分及び領域指定情報ＨＤを変換情報ＣＤとして出力部１０８に与える。
　【００８４】
　第１画像変換部１２０において、画素補間部１２２は変換情報生成部１１０から指示された特定色のみについて画素補間処理を行い、画素補間の行われた特定色の画像データをγ変換部１２３に与える。γ変換部１２３は画素補間部１２２から得られる特定色の画像データに対し領域指定情報ＨＤに基づいたγ変換を行う。このγ変換により、一般的なγ変換と同時に、偏りのあるヒストグラム分布をダイナミックレンジ内で拡大処理する画像変換が行われるように構成されるため、ヒストグラム分布に偏りのある色成分の画像データの分解能を低下させることなく、γ変換を行う処理を行うことができる。そして画像圧縮部１２４において所定の画像圧縮が行われて特定された色成分についての画像データ（第１の画像データ）ＧＤ１が生成される。
　【００８５】
　ホワイトバランス制御部１４０はＡ／Ｄ変換器１０３から画像データを取得すると、その画像データが示す画像の内容を分析し、その画像データにどのようなホワイトバランス調整を行えば、カラー画像における色の再現性が最適なものとなるかを判断する。そしてカラー画像の各色成分ごとに設定するゲイン値を決定し、各色成分ごとのゲイン値をホワイトバランス調整部１３１に与える。
　【００８６】
　第２画像変換部１３０において、ホワイトバランス調整部１３１はホワイトバランス制御部１４０から指示される各色成分のゲイン値に基づいて各色成分の画像変換処理を実行する。そして画素補間部１３２が各色成分の画像データの画素補間処理を行い、γ変換部１３４が従来と同様のγ変換処理を行う。そして色差マトリクス部１３５で色変換が行われた後、画像圧縮部１３６でＪＰＥＧ等の所定の画像圧縮が行われて、画像データ（第２の画像データ）ＧＤ２が生成される。この画像データＧＤ２は従来のデジタルカメラで生成されていた画像データと同様である。
　【００８７】
　第１画像変換部１２０で生成される画像データＧＤ１及び第２画像変換部１３０で生成される画像データＧＤ２はそれぞれ出力部１０８に与えられる。
　【００８８】
　一方、変換情報生成部１１０はＡ／Ｄ変換器１０３から画像データＧＤを入力すると、リンク情報生成部１１２としても機能し、入力する画像データＧＤに対応して第１画像変換部１２０及び第２画像変換部１３０のそれぞれから出力される画像データＧＤ１及びＧＤ２と、変換情報ＣＤとのそれぞれを対応づけるためのリンク情報ＬＤを生成する。このリンク情報ＬＤは変換情報ＣＤに含められ、変換情報ＣＤとともに出力部１０８に与えられる。
　【００８９】
　出力部１０８は、第１画像変換部１２０から入力する画像データＧＤ１と、第１画像変換部１２０から入力する画像データＧＤ２と、変換情報生成部１１０から入力するリンク情報ＬＤを含んだ変換情報ＣＤと、を関連づけた画像ファイルＧＦを生成する。図１０は出力部１０８で生成される画像ファイルＧＦを示す図である。図１０に示すように画像ファイルＧＦには、第１の画像データＧＤ１と第２の画像データＧＤ２と変換情報ＣＤとが含まれている。変換情報ＣＤにはリンク情報ＬＤが含まれている。出力部１０８はこれらのデータが関連づけられた画像ファイルＧＦをメモリカード等の可搬性の記録媒体１０９に出力することにより、撮影の結果得られた画像ファイルＧＦを記録媒体１０９に記録保存する。
　【００９０】
　このようにデジタルカメラ１ｂは、従来と同様にホワイトバランス調整の行われた画像データＧＤ２と、ヒストグラム分布に偏りのある色成分についてホワイトバランス調整を行わずに生成した画像データＧＤ１とを記録媒体１０９に記録するように構成されている。
　【００９１】
　そして、このように記録された画像ファイルＧＦを用いてユーザがコンピュータに画像表示を行う場合には、画像データＧＤ２に基づいて画像表示を行えば、コンピュータ側で最適なカラー画像を表示することができる。
　【００９２】
　さらに、コンピュータ側でユーザが画像データを加工して新たなオリジナルな画像を生成する場合には、ホワイトバランス調整が行われていない画像データＧＤ１を用いて処理することができるので、例えば画像の赤みを増加させるような画像処理を行った場合でも、階調のなめらかさ（分解能）を損なうことがなく、高品質なオリジナル画像を得ることができる。
　【００９３】
　次に、画像ファイルＧＦを用いて画像処理を行う画像処理装置について説明する。
　【００９４】
　図１１は画像処理装置２ｂの構成を示すブロック図である。画像処理装置２ｂはコンピュータによって構成され、図４に示した画像処理装置と同様の構成部材については同一符号を付している。なお、記録媒体１０９は画像処理装置２に対して着脱自在であり、デジタルカメラ１において画像ファイルＧＦの記録された状態で、画像処理装置２に装着される。
　【００９５】
　変換情報入力部２０１は記録媒体１０９に記録されている画像ファイルＧＦから変換情報ＣＤを取得して画像処理装置２に入力するデータ入力手段であり、変換情報ＣＤを画像処理部２１０に与える。また、画像データ入力部２０２は記録媒体１０９に記録されている画像ファイルＧＦから画像データＧＤを取得して画像処理装置２に入力するデータ入力手段であり、画像データＧＤをデータ伸張部２０３に与える。
　【００９６】
　データ伸張部２０３は記録媒体１０９から得られる画像圧縮の施された画像データＧＤに対し、データ伸張処理を施す。このデータ伸張処理は、デジタルカメラ１の画像圧縮部１２４，１３６において行われた画像圧縮処理の逆変換処理に相当する。この結果、画像データＧＤ１，ＧＤ２はデジタルカメラ１の画像圧縮部１０７で画像圧縮が施される前の状態に復元される。そして復元された画像データＧＤは画像処理部２１０へと導かれる。
　【００９７】
　画像処理部２１０はマイクロコンピュータが所定のプログラムを実行することによって実現される機能であり、画像データＧＤ１，ＧＤ２に対して種々の画像処理を行うことができる。表示器２０６に対して画像の表示を行う際、画像処理部２１０は画像データＧＤ２に基づいて画像の表示を行う。この結果、表示器２０６に表示される画像は、視覚的に違和感のない画像となり、画像表示の再現性を向上することができる。例えば、タングステン光下で撮影した画像であっても、表示器２０６には赤色の抑制された画像が表示され、視覚的に違和感のない画像になる。
　【００９８】
　一方、ユーザが表示器２０６に表示される画像に対して画像処理を施すことにより所望するオリジナルな画像を作成したい場合には、その画像処理の内容を画像処理操作部２０５より入力する。画像処理部２１０はユーザの操作に基づいて画像データＧＤ１を用いて画像処理を施す。このとき、画像処理部２１０はリンク情報ＬＤを基に画像データＧＤ１を抽出することができ、かつ、変換情報ＣＤに基づいて画像データＧＤ１にどのようなγ変換が施されているかを認識することができる。画像データＧＤ１は通常のγ変換でなく、ダイナミックレンジを拡大処理するようなγ変換が行われて生成されたデータであるため、画像データＧＤ１を用いて画像処理を行うことにより、ビット落ち等が生じる可能性は少なく、なめらかな階調の画像を得ることができ、高品質なオリジナル画像を生成することができる。
　【００９９】
　つまり、画像処理装置２ｂによれば、ユーザが表示器２０６における表示画像を視認する際には、ホワイトバランス調整のされた画像を直ちに視認することができるとともに、ビット落ちを生じさせることなく画像における色の調子を変更することもできるのである。
　【０１００】
　そして画像処理部２１０においてユーザの指示に基づく画像処理が行われると、画像処理後の画像が表示器２０６に表示されるとともに、その画像データが画像記録部２０４に与えられる。画像記録部２０４は、記録媒体１０９に対し画像処理の施された画像データを記録する。
　【０１０１】
　このように画像処理装置２ｂはカラー画像に応じた画像変換により生成された第１の画像データＧＤ１と、カラー画像に関する第２の画像データＧＤ２と、画像変換の内容を示す変換情報ＣＤとが相互に関連づけられたデータを入力し、変換情報ＣＤに基づいて第１の画像データＧＤ１を処理するとともに、第２の画像データＧＤ２に基づく画像又は画像処理部２１０によって得られる画像を表示器２０６に表示するように構成されている。したがって、デジタルカメラ１ｂ側でホワイトバランス調整の行われた画像を直ちに表示することができるとともに、ユーザの指示に基づいてカラー画像を加工する際には、ホワイトバランス調整等の画像変換が行われていない画像データＧＤ１に対して画像処理を施すことができる。よって画像処理の際にビット落ちの問題が生じることもなく、高品質な画像を生成することができる。
　【０１０２】
　なお、この実施の形態においては、デジタルカメラ１ｂの第１画像変換部１２０がカラー画像を構成する複数の色成分のうちの特定された色成分について画像データＧＤ１を生成する場合について説明した。しかしながら、これに限定されるものではなく、例えば第２の実施の形態に示したような画像変換を行う構成をそのまま第１画像変換部１２０に適用し、第１画像変換部１２０がカラー画像を構成する複数の色成分のうちの全ての色成分について画像データＧＤ１を生成するようにしてもよい。ただし、そのような構成とする場合は記録媒体１０９に記録される画像ファイルＧＦのデータ量が増加するというデメリットもある。
　【０１０３】
　＜４．第４の実施の形態＞
　次に、この発明の第４の実施の形態について説明する。この実施の形態では、画像データ生成装置がスキャナである場合を例に挙げ、スキャナとコンピュータとで構成される画像処理システムを例に挙げて説明する。
　【０１０４】
　図１２は画像処理システム３の機能構成を示すブロック図である。画像処理システム３は、画像データ生成装置となるスキャナ４と、画像処理装置となるコンピュータ５とを備えて構成される。
　【０１０５】
　スキャナ４は撮像素子４０１とＣＤＳ４０２とアンプ４０３とＡ／Ｄ変換器４０４と変換情報生成部４０５とデータ通信部４０７とを備えて構成され、画像処理装置となるコンピュータ５とケーブル等を介して接続される。また、コンピュータ５はγ変換部５０１と色差マトリクス部５０２と画像圧縮部５０３とデータ通信部５０７と出力部５０８と記録媒体５０９とを備えて構成される。なお、記録媒体５０９はメモリカード等のようにコンピュータ５に着脱自在なものであってもよいし、磁気ディスク装置等のようにコンピュータ５に内蔵されるものであってもよい。
　【０１０６】
　撮像素子４０１はＣＣＤラインセンサ等によって構成される撮像手段であり、直線状に複数の画素を有し、物体（文書フィルム等）の表面を走査して受光する光を光電変換することによってカラー画像に関する画像信号を生成する。この画像信号はＣＤＳ４０２に与えられ、ＣＤＳ４０２において画像信号に含まれるノイズの低減が行われる。ノイズを低減された画像信号はアンプ４０３へと導かれ、各色成分ごとにゲイン値の設定が行われる。このゲイン値の設定を適切に行うために、撮像素子４０１はプレスキャンと本スキャンとの２回の画像読み取りを行い、プレスキャンによって最適なゲイン値を決定し、本スキャンの際に決定されたゲイン値を適用した信号処理が行われる。
　【０１０７】
　プレスキャン時に撮像素子４０１から得られた画像信号はアンプ４０３から変換情報生成部４０５へと導かれる。変換情報生成部４０５は画像分析部４０６を備えており、プレスキャン画像の分析を行う。具体的には、各色成分の画像信号の階調分布がダイナミックレンジの全領域に分布しているか否かを判断し、ダイナミックレンジの全領域に分布していない色成分を特定する。そして特定された色成分の画像信号がダイナミックレンジの全領域に分布するように階調拡大処理を行うための変換情報ＣＤを求める。つまり、変換情報ＣＤは階調拡大を行うためのゲイン設定値である。この変換情報ＣＤはアンプ４０３の階調拡大部４０３ａに与えられるとともに、データ通信部４０７にも与えられる。なお、データ通信部４０７に与えられる変換情報ＣＤにはコンピュータ５のγ変換部５０１において適用されるγ特性等の変換情報も含まれる。
　【０１０８】
　アンプ４０３は本スキャン時に得られる画像に対し、変換情報生成部４０５から指示された色成分については階調拡大を行うためのゲイン値が設定され、階調拡大部４０３ａでそのゲイン値に基づいた画像変換が行われる。一方、指示されなかった色成分については予め定められた所定のゲイン値が設定されて画像変換される。したがって、プレスキャンによってアンプ４０３における各色成分ごとのゲイン値が指定されることになる。
　【０１０９】
　そして本スキャン時には、アンプ４０３はプレスキャン時に変換情報生成部４０５から得られたゲイン値、又は予め定められたゲイン値に基づいて各色成分ごとの画像信号に対する演算を行う。特に階調拡大部４０３ａは変換情報生成部４０５から特定された色成分につき、変換情報ＣＤに基づいて画像信号がダイナミックレンジの全領域に分布するような階調拡大処理を行うことになる。
　【０１１０】
　このようにして得られたカラー画像の画像信号はＡ／Ｄ変換器４０４へと導かれ、Ａ／Ｄ変換器４０４において画像信号がデジタル化されて画像データＧＤが生成される。この画像データＧＤは例えばカラー画像を構成するＲＧＢの各色成分ごとの画像データとなっている。そしてＡ／Ｄ変換器４０４は画像データをケーブル等を介してコンピュータ５に出力する。
　【０１１１】
　データ通信部４０７はコンピュータ５に設けられたデータ通信部５０７と制御情報の通信を行うように構成されており、変換情報生成部４０５から変換情報ＣＤを入力した際にコンピュータ５のデータ通信部５０７に対して変換情報ＣＤを送信する。
　【０１１２】
　コンピュータ５においてデータ通信部５０７は変換情報ＣＤをγ変換部５０１と出力部５０８とに与える。
　【０１１３】
　γ変換部５０１は変換情報ＣＤに基づいて、階調拡大の行われた色成分を特定し、特定の色成分については変換情報ＣＤに基づいたγ変換を行い、その他の色成分については所定のγ変換を行う。
　【０１１４】
　そして色差マトリクス部５０２はカラー情報を色差で示した画像データに変換し、画像圧縮部５０３は色差マトリクス部５０２から得られる画像データに対してＪＰＥＧ等の所定の画像圧縮を行って出力部５０８に画像データＧＤを与える。
　【０１１５】
　出力部５０８はデータ通信部５０７から得られる変換情報ＣＤと画像圧縮部５０３から得られる画像データＧＤとを入力すると、それらを関連づけた画像ファイルＧＦを生成し、その画像ファイルＧＦを記録媒体５０９に出力して記録する。
　【０１１６】
　この実施の形態におけるスキャナ４は、撮像素子４０１から得られた画像データのうち、階調分布がダイナミックレンジの全領域に分布していない色成分の画像データにつき、ダイナミックレンジの全領域に階調拡大を行うように構成されているため、画像データの分解能を低下させることがない。また、画像データの記録時には、画像データＧＤとともに変換情報ＣＤを記録するようにしているため、画像データＧＤを加工する際に変換情報ＣＤを参照すれば、画像データＧＤにどのような画像変換が施されているかを認識することができ、画質を低下させることなく画像データの加工を行うことができる。
　【０１１７】
　＜５．第５の実施の形態＞
　次に、この発明の第５の実施の形態について説明する。この実施の形態でも、画像データ生成装置がスキャナである場合を例に挙げ、スキャナとコンピュータとで構成される画像処理システムを例に挙げて説明する。
　【０１１８】
　図１３は画像処理システム３ａの機能構成を示すブロック図である。画像処理システム３ａは、画像データ生成装置となるスキャナ４ａと、画像処理装置となるコンピュータ５ａとを備えて構成される。なお、図１３において、第４の実施の形態と同様の構成部材については同一符号を付している。
　【０１１９】
　スキャナ４ａは撮像素子４０１とＣＤＳ４０２とアンプ４０３とＡ／Ｄ変換器４０４と変換情報生成部４０５とデータ通信部４０７と階調拡大部４０８とを備えて構成され、画像処理装置となるコンピュータ５とケーブル等を介して接続される。また、コンピュータ５ａはγ変換部５０１，５０４と色差マトリクス部５０２と画像圧縮部５０３，５０５とデータ通信部５０７と出力部５０８と記録媒体５０９とを備えて構成される。
　【０１２０】
　プレスキャン時に撮像素子４０１から得られた画像信号はアンプ４０３から変換情報生成部４０５へと導かれる。変換情報生成部４０５は画像分析部４０６を備えており、プレスキャン画像の分析を行う。具体的には、各色成分の画像信号の階調分布がダイナミックレンジの全領域に分布しているか否かを判断し、ダイナミックレンジの全領域に分布していない色成分を特定する。そして特定された色成分の画像信号がダイナミックレンジの全領域に分布するように階調拡大処理を行うための変換情報ＣＤを求める。つまり、変換情報ＣＤは階調拡大を行うためのゲイン設定値である。この変換情報ＣＤは階調拡大部４０８に与えられるとともに、データ通信部４０７にも与えられる。また、アンプ４０３には特定された色成分が指示される。なお、データ通信部４０７に与えられる変換情報ＣＤにはコンピュータ５ａのγ変換部５０４において適用されるγ特性等の変換情報も含まれる。
　【０１２１】
　アンプ４０３は本スキャン時に得られる画像に対し、予め定められたゲイン値に基づく画像変換を行うとともに、変換情報生成部４０５から指示された色成分については画像変換前の画像信号を階調拡大部４０８に与える。したがって、アンプ４０３からはＲＧＢの各色成分について所定のゲイン値に基づいて画像変換の行われた画像信号がＡ／Ｄ変換器４０４へと導かれるとともに、変換情報生成部４０５から指示された色成分についての画像変換前の画像信号が階調拡大部４０８に与えられる。
　【０１２２】
　階調拡大部４０８は本スキャン時に得られるカラー画像のうち、アンプ４０３から与えられる特定の色成分の画像信号に対し、変換情報生成部４０５から得られる変換情報ＣＤに基づいた画像変換を行う。
　【０１２３】
　アンプ４０３及び階調拡大部４０８のそれぞれから得られる画像信号はＡ／Ｄ変換器４０４に与えられ、Ａ／Ｄ変換器４０４においてそれぞれの画像信号がデジタル化されて画像データＧＤ１，ＧＤ２が生成される。画像データＧＤ２は例えばカラー画像を構成するＲＧＢの各色成分ごとの画像データとなっているが、画像データＧＤ１は特定の色成分のみの画像データとなっている。そしてＡ／Ｄ変換器４０４は画像データＧＤ１，ＧＤ２をケーブル等を介してコンピュータ５ａに出力する。
　【０１２４】
　データ通信部４０７はコンピュータ５ａに設けられたデータ通信部５０７と制御情報の通信を行うように構成されており、変換情報生成部４０５から変換情報ＣＤを入力した際にコンピュータ５ａのデータ通信部５０７に対して変換情報ＣＤを送信する。
　【０１２５】
　コンピュータ５ａにおいてデータ通信部５０７は変換情報ＣＤをγ変換部５０４と出力部５０８とに与える。γ変換部５０４は変換情報ＣＤに基づいて、特定の色成分について変換情報ＣＤに基づいたγ変換を行う。そして画像圧縮部５０５において所定の画像圧縮が行われた後、特定色についての画像データＧＤ１が出力部５０８に与えられる。
　【０１２６】
　一方、γ変換部５０１、色差マトリクス部５０２及び画像圧縮部５０３は従来と同様のカラー画像に関する画像変換を行うためのものであり、γ変換部５０１は所定のγ特性に基づいて各色成分ごとの画像データに対するγ変換を行い、色差マトリクスはカラー情報を色差で示した画像データに変換し、そして画像圧縮部５０３は色差マトリクス部５０２から得られる画像データに対してＪＰＥＧ等の所定の画像圧縮を行って出力部５０８に画像データＧＤ２を与える。したがって、画像データＧＤ２は従来のスキャナ等を使用しても得られるデータである。
　【０１２７】
　出力部５０８はデータ通信部５０７から得られる変換情報ＣＤと、画像圧縮部５０３，５０５から得られる画像データＧＤ２，ＧＤ１とを入力すると、それらを関連づけた画像ファイルＧＦを生成し、その画像ファイルＧＦを記録媒体５０９に出力して記録する。
　【０１２８】
　この実施の形態におけるスキャナ４は、撮像素子４０１から得られるカラー画像に対して通常の画像変換を行うとともに、階調分布がダイナミックレンジの全領域に分布していない色成分の画像データについては特にダイナミックレンジの全領域に階調拡大処理を別途に行うように構成されている。このため、画像データの分解能を低下させることがない。また、画像データの記録時には、階調拡大処理が行われた画像データＧＤ１と、通常の画像変換が行われた画像データＧＤ２と、変換情報ＣＤとを記録するようにしているため、画像データを加工する際に変換情報ＣＤを参照すれば、分解能の低下していない画像データＧＤ１にどのような画像変換が施されているかを認識することができ、その画像データＧＤ１を用いることによって画質を低下させることなく画像データの加工を行うことが可能になる。
　【０１２９】
　以上はＲＧＢ等のカラーＣＣＤを用いた場合であるが、各色毎に露光時間を変化できるモノクロＣＣＤを複数用いた場合は階調拡大部４０８でゲイン調整するのではなく、露光時間によって行う。この方がノイズに対しても有利になるという利点がある。
　【０１３０】
　＜６．変形例＞
　以上、この発明の実施の形態について説明したが、この発明は上記説明した内容のものに限定されるものではない。
　【０１３１】
　画像データ生成装置がデジタルカメラやスキャナである場合について説明したがこれに限定されるものではなく、物体からの光を光電変換することにより画像データを生成することのできる装置であれば、デジタルビデオカメラ、カメラ付き携帯電話、カメラ付きコンピュータ等のような他の装置であっても構わない。
　【０１３２】
　また、上記各実施の形態において示した画像データ生成装置の各部の機能（撮像素子及び記録媒体の機能を除く。）を画像データ生成装置に内蔵されたコンピュータが所定のプログラムを実行することによって実現されるように構成されてもよい。この場合、そのプログラムは画像データ生成装置にインストールされることにより、各部の機能を実現することになる。
　【０１３３】
　さらに、上記各実施の形態において示した画像処理装置の各部の機能（表示器、画像処理操作部及び記録媒体の機能を除く。）を画像処理装置に内蔵されたコンピュータが所定のプログラムを実行することによって実現されるように構成されてもよい。この場合、そのプログラムは画像処理装置にインストールされることにより、各部の機能を実現することになる。
　【０１３４】
　【発明の効果】
　以上説明したように、請求項１，２及び３に記載の発明によれば、ゲイン情報に基づいて画像データに対するホワイトバランス調整を行い、ホワイトバランスが調整されたカラー画像を表示するように構成されるため、表示された画像に対して加工を施す場合でも、ホワイトバランス調整前の画像データに対して画像処理を行うことができ、階調の再現性が低下することを抑制することが可能になる。
また、カラー画像に対して施されたγ変換の内容を、γ変換情報によって特定することができるので、γ変換情報に基づいて画像データに対する画像処理を行うことにより、適切な画像データを生成できるようになっている。
【図面の簡単な説明】
　【図１】
　第１の実施の形態におけるデジタルカメラの機能構成を示すブロック図である。
　【図２】
　γ特性の一例を示す図である。
　【図３】
　第１の実施の形態における画像ファイルを示す図である。
　【図４】
　第１の実施の形態における画像処理装置の構成を示すブロック図である。
　【図５】
　第２の実施の形態におけるデジタルカメラの機能構成を示すブロック図である。
　【図６】
　画像データのヒストグラム分布を示す図である。
　【図７】
　画像データのヒストグラム分布を示す図である。
　【図８】
　γ特性に対する出力信号の状態を説明するための図である。
　【図９】
　第３の実施の形態におけるデジタルカメラの機能構成を示すブロック図である。
　【図１０】
　第３の実施の形態における画像ファイルを示す図である。
　【図１１】
　第３の実施の形態における画像処理装置の構成を示すブロック図である。
　【図１２】
　第４の実施の形態における画像処理システムの機能構成を示すブロック図である。
　【図１３】
　第５の実施の形態における画像処理システムの機能構成を示すブロック図である。
　【符号の説明】
　１，１ａ，１ｂ　デジタルカメラ（画像データ生成装置）
　２，２ｂ　画像処理装置
　３，３ａ　画像処理システム
　４，４ａ　スキャナ（画像データ生成装置）
　５，５ａ　コンピュータ（画像処理装置）
　１０１，４０１　撮像素子（撮像手段）
　１１０，４０５　変換情報生成部（変換情報生成手段）
　１０８　出力部（出力手段）
　４０７　データ通信部（出力手段）
　２１０　画像処理部（画像処理手段）
　２０６　表示器（表示手段）